【手続補正書】
【提出日】平成19年3月5日(2007.3.5)
【手続補正１】
【補正対象書類名】明細書
【補正対象項目名】発明の名称
【補正方法】変更
【補正の内容】
【発明の名称】データ制御装置及びその制御方法並びに画像形成装置
【手続補正２】
【補正対象書類名】明細書
【補正対象項目名】特許請求の範囲
【補正方法】変更
【補正の内容】
【特許請求の範囲】
【請求項１】  画像形成を行う画像形成部の省エネルギー状態を制御するとともに、入力された画像情報を前記画像形成部に出力するデータ制御装置であって、
入力された複数の画像情報を記憶する記憶手段と、
入力された画像情報毎に画像形成の優先度及び前記画像情報を像形成する枚数に関するパラメータを取得するパラメータ取得手段と、
前記記憶手段に記憶されている画像情報毎に前記優先度と前記枚数との乗算結果の総和と所定のしきい値とを比較する比較手段と、
前記比較手段による比較の結果、前記乗算結果の総和が前記所定のしきい値未満であるときは、前記画像形成部を省エネルギー状態にし、前記乗算結果の総和が前記所定のしきい値以上であるときは、前記記憶手段に記憶されている画像情報を前記画像形成部へ出力する制御手段と、
を備えることを特徴とするデータ制御装置。
【請求項２】  前記制御手段は、前記乗算結果の総和が前記所定のしきい値未満であるときは、前記画像形成部への電源供給を遮断することを特徴とする請求項１に記載のデータ制御装置。
【請求項３】  画像形成を行う画像形成部の省エネルギー状態を制御するとともに、受信した画像情報を前記画像形成部に出力するデータ制御装置であって、
受信した複数の画像情報を記憶する記憶手段と、
受信した画像情報毎に前記画像情報を像形成する枚数に関するパラメータを取得するパラメータ取得手段と、
受信した画像情報毎に画像情報を受信してからの待機時間と前記枚数との乗算結果の総和と所定のしきい値とを比較する比較手段と、
前記比較手段による比較の結果、前記乗算結果の総和が前記所定のしきい値未満であるときは、前記画像形成部を省エネルギー状態にし、前記乗算結果の総和が前記所定のしきい値以上であるときは、前記記憶手段に記憶されている画像情報を前記画像形成部へ出力する制御手段と、
を備えることを特徴とするデータ制御装置。
【請求項４】  前記制御手段は、前記乗算結果の総和が前記所定のしきい値未満であるときは、前記画像形成部への電源供給を遮断することを特徴とする請求項３に記載のデータ制御装置。
【請求項５】  供給されるデータに基づいて記録媒体に像形成する画像形成手段と、
供給された複数の画像情報を記憶する記憶手段と、
前記入力された画像情報毎に画像形成の優先度及び前記画像情報を像形成する枚数に関するパラメータを取得するパラメータ取得手段と、
前記記憶手段に記憶されている画像情報毎に前記優先度と前記枚数との乗算結果の総和と所定のしきい値とを比較する比較手段と、
前記比較手段による比較の結果、前記乗算結果の総和が前記所定のしきい値未満であるときは、前記画像形成部を省エネルギー状態にし、前記乗算結果の総和が前記所定のしきい値以上であるときは、前記記憶手段に記憶されている画像情報を前記画像形成部へ出力する制御手段と、
を備えることを特徴とする画像形成装置。
【請求項６】  前記制御手段は、前記乗算結果の総和が前記所定のしきい値未満であるときは、前記画像形成部への電源供給を遮断することを特徴とする請求項５に記載の画像形成装置。
【請求項７】  前記画像形成手段は、前記記録媒体に転写された画像を、所定の設定温度の熱と所定の圧力を加えることにより前記記録媒体に定着させる定着手段を有し、
前記制御手段は、前記乗算結果の総和が前記所定のしきい値以上であるときは、前記設定温度を、前記定着手段で現像剤の定着が可能な第１の温度に設定し、前記乗算結果の総和が前記所定のしきい値未満であるときは、前記設定温度を前記第１の温度以下の第２の温度に設定することにより、前記省エネルギー状態にすることを特徴とする請求項５に記載の画像形成装置。
【請求項８】  画像形成を行う画像形成部の省エネルギー状態を制御するとともに、入力された画像情報を前記画像形成部に出力するデータ制御装置の制御方法であって、
画像情報を記憶する記憶手段に前記入力された画像情報を格納する記憶工程と、
前記入力された画像情報毎に画像形成の優先度及び前記画像情報を像形成する枚数に関するパラメータを取得するパラメータ取得工程と、
前記記憶手段に記憶されている画像情報毎に前記優先度と前記枚数との乗算結果の総和と所定のしきい値とを比較する比較工程と、
前記比較工程による比較の結果、前記乗算結果の総和が前記所定のしきい値未満であるときは、前記画像形成部を省エネルギー状態にし、前記乗算結果の総和が前記所定のしきい値以上であるときは、前記記憶手段に記憶されている画像情報を前記画像形成部へ出力する制御工程と、
を有することを特徴とするデータ制御装置の制御方法。
【請求項９】  画像形成を行う画像形成部の省エネルギー状態を制御するとともに、受信した画像情報を前記画像形成部に出力するデータ制御装置の制御方法であって、
画像情報を記憶する記憶手段に前記入力された画像情報を格納する記憶工程と、
前記受信した画像情報毎に前記画像情報を像形成する枚数に関するパラメータを取得するパラメータ取得工程と、
受信した画像情報毎に画像情報を受信してからの待機時間と前記枚数との乗算結果の総和と所定のしきい値とを比較する比較工程と、
前記比較工程による比較の結果、前記乗算結果の総和が前記所定のしきい値未満であるときは、前記画像形成部を省エネルギー状態にし、前記乗算結果の総和が前記所定のしきい値以上であるときは、前記記憶手段に記憶されている画像情報を前記画像形成部へ出力する制御工程と、
を有することを特徴とするデータ制御装置の制御方法。
【手続補正３】
【補正対象書類名】明細書
【補正対象項目名】０００１
【補正方法】変更
【補正の内容】
【０００１】
【発明の属する技術分野】
本発明は、省エネルギー効果の向上を図るデータ制御装置及びその制御方法並びに画像形成装置に関する。
【手続補正４】
【補正対象書類名】明細書
【補正対象項目名】００１０
【補正方法】変更
【補正の内容】
【００１０】
【課題を解決するための手段】
上記目的を達成するために本発明のデータ制御装置は、画像形成を行う画像形成部の省エネルギー状態を制御するとともに、入力された画像情報を前記画像形成部に出力するデータ制御装置であって、入力された複数の画像情報を記憶する記憶手段と、入力された画像情報毎に画像形成の優先度及び前記画像情報を像形成する枚数に関するパラメータを取得するパラメータ取得手段と、前記記憶手段に記憶されている画像情報毎に前記優先度と前記枚数との乗算結果の総和と所定のしきい値とを比較する比較手段と、前記比較手段による比較の結果、前記乗算結果の総和が前記所定のしきい値未満であるときは、前記画像形成部を省エネルギー状態にし、前記乗算結果の総和が前記所定のしきい値以上であるときは、前記記憶手段に記憶されている画像情報を前記画像形成部へ出力する制御手段とを備えることを特徴とする。
また、本発明の別側面に係るデータ制御装置は、画像形成を行う画像形成部の省エネルギー状態を制御するとともに、受信した画像情報を前記画像形成部に出力するデータ制御装置であって、受信した複数の画像情報を記憶する記憶手段と、受信した画像情報毎に前記画像情報を像形成する枚数に関するパラメータを取得するパラメータ取得手段と、受信した画像情報毎に画像情報を受信してからの待機時間と前記枚数との乗算結果の総和と所定のしきい値とを比較する比較手段と、前記比較手段による比較の結果、前記乗算結果の総和が前記所定のしきい値未満であるときは、前記画像形成部を省エネルギー状態にし、前記乗算結果の総和が前記所定のしきい値以上であるときは、前記記憶手段に記憶されている画像情報を前記画像形成部へ出力する制御手段とを備えることを特徴とする。
【手続補正５】
【補正対象書類名】明細書
【補正対象項目名】００１１
【補正方法】変更
【補正の内容】
【００１１】
また、上記目的を達成するために本発明の画像形成装置は、供給されるデータに基づいて記録媒体に像形成する画像形成手段と、供給された複数の画像情報を記憶する記憶手段と、前記入力された画像情報毎に画像形成の優先度及び前記画像情報を像形成する枚数に関するパラメータを取得するパラメータ取得手段と、前記記憶手段に記憶されている画像情報毎に前記優先度と前記枚数との乗算結果の総和と所定のしきい値とを比較する比較手段と、前記比較手段による比較の結果、前記乗算結果の総和が前記所定のしきい値未満であるときは、前記画像形成部を省エネルギー状態にし、前記乗算結果の総和が前記所定のしきい値以上であるときは、前記記憶手段に記憶されている画像情報を前記画像形成部へ出力する制御手段とを備えることを特徴とする。
【手続補正６】
【補正対象書類名】明細書
【補正対象項目名】００１２
【補正方法】変更
【補正の内容】
【００１２】
また、上記目的を達成するために本発明のデータ制御装置の制御方法は、画像形成を行う画像形成部の省エネルギー状態を制御するとともに、入力された画像情報を前記画像形成部に出力するデータ制御装置の制御方法であって、画像情報を記憶する記憶手段に前記入力された画像情報を格納する記憶工程と、前記入力された画像情報毎に画像形成の優先度及び前記画像情報を像形成する枚数に関するパラメータを取得するパラメータ取得工程と、前記記憶手段に記憶されている画像情報毎に前記優先度と前記枚数との乗算結果の総和と所定のしきい値とを比較する比較工程と、前記比較工程による比較の結果、前記乗算結果の総和が前記所定のしきい値未満であるときは、前記画像形成部を省エネルギー状態にし、前記乗算結果の総和が前記所定のしきい値以上であるときは、前記記憶手段に記憶されている画像情報を前記画像形成部へ出力する制御工程とを有することを特徴とする。
また、本発明の別側面に係るデータ制御装置の制御方法は、画像形成を行う画像形成部の省エネルギー状態を制御するとともに、受信した画像情報を前記画像形成部に出力するデータ制御装置の制御方法であって、画像情報を記憶する記憶手段に前記入力された画像情報を格納する記憶工程と、前記受信した画像情報毎に前記画像情報を像形成する枚数に関するパラメータを取得するパラメータ取得工程と、受信した画像情報毎に画像情報を受信してからの待機時間と前記枚数との乗算結果の総和と所定のしきい値とを比較する比較工程と、前記比較工程による比較の結果、前記乗算結果の総和が前記所定のしきい値未満であるときは、前記画像形成部を省エネルギー状態にし、前記乗算結果の総和が前記所定のしきい値以上であるときは、前記記憶手段に記憶されている画像情報を前記画像形成部へ出力する制御工程とを有することを特徴とする。